(57)【要約】【課題】光ピックアップ装置の小型化に伴い、光源からの発熱を効率的に冷却できる構成が困難である。【解決手段】光学基台４０１と、折り曲げミラー４０２と、複数波長一体化光集積ユニット４０６と、放熱板４０７とを備え、折り曲げミラー４０２を用いレーザー光の光路の向きを変え、複数波長一体化光集積ユニット４０６および放熱板４０７を光学基台４０１上のトラバースカバー４１１の開口部に配することにより、光ディスクの回転によって生じる風を有効的に利用し、数波長一体化光集積ユニット４０６から発生する熱を効率良く冷却することが可能となるので、放熱部材を削減できるため低価格かつ高出力発光時に温度変化に対して安定した性能の光ピックアップ装置が実現できる。【選択図】図２
2007280440.tif 000002
【特許請求の範囲】
【請求項１】
光ビームを出射する光源と、
前記光ビームを光ディスクの情報層に光スポット状に集光する対物レンズと、
前記対物レンズを前記情報層に照射する位置に移載するトラバースと、
前記トラバースを保護し、前記対物レンズから前記情報層に光スポットを照射する開口部を備えるトラバースカバーとを有し、
前記光源を前記光ディスクと対向する前記開口部に配置した構造を有する光ピックアップ装置。
【請求項２】
前記光源と前記対物レンズとの間の光路中に折り曲げミラーを備える請求項１記載の光ピックアップ装置。
【請求項３】
前記レーザー光源が、複数の波長の光を出射する請求項１記載の光ピックアップ装置。
【発明の詳細な説明】
【技術分野】
【０００１】
本発明は光ディスクに光スポットを照射して記録または再生を行う光ピックアップ装置に関するものである。
【背景技術】
【０００２】
光ピックアップ装置は光ディスクに対して記録または再生を行うために、半導体レーザーから発光させた光を反射ミラーおよび対物レンズによって光ディスク面に集光させる。光ディスクの情報層に集光したレーザー光の強弱により、情報が情報層に書き込まれる。また、再生時は光ディスク面からの反射光を同じ対物レンズおよび反射ミラーを通して光集積素子の受光部にて光電変換により、光ディスクの情報層で反射された反射光の強弱が電気信号に変換され情報を認識するように構成されている。光ディスクに対して記録または再生を行う時に、光ディスクの反りおよび面振れに伴う上下運動によるフォーカスずれや、偏心などによるトラッキングずれを補正するために、対物レンズ駆動装置を用いて、対物レンズを記録媒体面に対して垂直な方向、および記録媒体面に対して平行な方向の半径方向の２方向の制御を行うようになっている。
【０００３】
従来の光ピックアップ装置として、図３および図４に示すようなものが知られている。以下、図３および図４の光ピックアップ装置の構成を示す平面図を参照して、従来の光ピックアップ装置について説明する。図３および図４は、従来の光ピックアップ装置の構成を示す。図３において、１０１は光学基台、１０２はＤＶＤのレーザー光とＣＤレーザー光を分けるためのビームスプリッター、１０３はコリメートレンズ、１０４はアクセス用主軸、１０５はアクセス用副軸、１０６はＤＶＤ用の半導体レーザーと受光素子および電気信号に変換する演算増幅器が一体化されたＤＶＤ光集積素子ユニット、１０７はＣＤ用の半導体レーザーと受光素子および電気信号に変換する演算増幅器が一体化されたＣＤ光集積素子ユニット、１０８は放熱板、１０９は放熱部材、１１０は対物レンズ、１１１は光ディスクに対して記録または再生を行う際に光ディスクの面ぶれなどによるフォーカスずれや、偏心などによるトラッキングずれを補正するためのアクチュエータ、１１２はＡＣＴカバー、１１３は光ピックアップ装置を移載するトラバースを保護するためのトラバースカバー、１１４はレーザー光を前記光ディスクに向けて立ち上げるための立ち上げミラーである。
【０００４】
レーザー光源と受光素子と電気信号に変換する演算増幅回路を有するＤＶＤ光集積素子ユニット１０６から発生する熱を、背面から伝熱させるべく放熱板１０８が配置されている。さらに、放熱板１０８からの熱を金属体である光学基台１０１へ伝熱する放熱部材１０９を有した構成となっている。
【０００５】
また、図４において、２０１は光学基台、２０２はコリメートレンズ、２０３はアクセス用主軸、２０４はアクセス用副軸、２０５は複数の波長のレーザー光源と受光素子と電気信号に変換する演算増幅回路を一体化した複数波長一体化光集積ユニット、２０６は放熱板、２０７は放熱部材、２０８は対物レンズ、２０９は光ディスクに対して記録または再生を行う際に光ディスクの面ぶれなどによるフォーカスずれや、偏心などによるトラッキングずれを補正するためのアクチュエータ、２１０はＡＣＴカバー、２１１は光ピックアップ装置を移載するトラバースを保護するためのトラバースカバー、２１２は立ち上げミラーである。
【０００６】
複数波長一体化集積ユニット２０５は、アクセス用主軸２０３およびアクセス用副軸２０４と平行に配され、レーザー光源から出射された光は直接、コリメートレンズ２０２で平行な光となり立上げミラー２１２で光が立ち上り、アクチュエータ２０９に搭載された対物レンズ２０８で光ディスク上に集光される。光ディスクから反射した光は、対物レンズ２０８を経て立上げミラー２１２、コリメートレンズ２０２を経たのち、複数波長一体化光集積ユニット２０５の受光素子にて電気信号に変換され、さらに電気変換増幅器で増幅され本体の回路へと送られる。また、複数波長一体化光集積ユニット２０５から発生する熱を背面から伝熱させるべく、放熱板２０６が配置されている。さらに、放熱板２０６からの熱を金属体である光学基台２０１へ伝熱する放熱部材２０７を有した構成となっている。
【０００７】
なお、光ディスクの回転により発生する風を利用する放熱構造も提案されているが、光ピックアップ装置に特殊な形状が必要（例えば特許文献１）であったり、光ピックアップ装置外に部材が必要（例えば特許文献２）であったりする。
【特許文献１】特開２００４−２５９４２７号公報
【特許文献２】特開２００４−１９２７５１号公報
【発明の開示】
【発明が解決しようとする課題】
【０００８】
近年の光ディスクへの記録高速化による半導体レーザーの高出力化および光ピックアップ装置を搭載するドライブの更なる軽量化, 薄型化に伴い光ピックアップ装置の更なる軽量化, 小型化, 薄型化が求められている。このため、半導体レーザーから発生する熱量が増加し、さらに光ピックアップ装置内の熱源が少ないスペースに密集するため、半導体レーザーの高出力発光をするための温度環境を満たすことが難しく、高速での光ディスクへの情報の記録や消去が困難となる。しかしながら前記従来の構成では、熱源となるレーザー光源の熱源より発生する熱を放熱させ、半導体レーザーの動作温度環境を満たし温度変化に対して安定した記録性能を得るためには放熱用部材が大量に必要となりコストアップにつながるという課題を有していた。また、光ディスクの回転により生じる風を利用する構成であっても専用の特殊な形状を必要としていたり、光ピックアップ装置外に別な部材が必要としていたりしていた。
【０００９】
本発明は、前記従来の課題を解決するもので、光ディスクの回転により生じる風を有効に利用することで、汎用性のある外形の確保しつつ放熱部材を削減しかつレーザー光源を効率良く冷却し温度変化に対して性能の安定した光ピックアップ装置を提供することを目的とする。
【課題を解決するための手段】
【００１０】
この従来の課題を解決するために、本発明の光ピックアップ装置は、光ビームを出射する光源と、前記光ビームを光ディスクの情報層に光スポット状に集光する対物レンズと、前記対物レンズを前記情報層に照射する位置に移載するトラバースと、前記トラバースを保護し、前記対物レンズから前記情報層に光スポットを照射する開口部を備えるトラバースカバーとを有し、前記光源を前記光ディスクと対向する前記開口部に配置した構造を有する。この構成によって、光ディスクの回転によって生じる風を有効的に利用し、レーザー光源から発生する熱を効率良く冷却することが可能となり、光ピックアップ装置の小型化、薄型化、軽量化を図る際にも、放熱部材を削減できるため低価格かつ高出力発光時に温度変化に対して安定した性能の光ピックアップ装置が実現できる。
【００１１】
また、本発明の光ピックアップ装置は、複数の波長の光を出射することが可能なレーザー光源を用いることにより、熱源となるレーザー光源を一箇所に集め、光ディスクの回転によって生じる風を常に有効的に利用できるようにしたものである。
【発明の効果】
【００１２】
本発明の光ピックアップ装置によれば、レーザー光源から発生する熱を折り曲げミラーを用いることにより光ディスクの回転により発生した風を利用し効率よく冷却することが可能となり、放熱部材の削減，汎用性のある外形の確保かつ温度変化に対して安定した高速記録または再生動作が実現できる。
【発明を実施するための最良の形態】
【００１３】
以下発明の光ピックアップ装置に係る一実施形態について、図面を参照しながら説明する。
【００１４】
(実施の形態１)
図は本発明の光ピックアップ装置における一実施形態の構成を示し、（ａ）は平面図、（ｂ）は側面図である。同図において、３０１は光学基台、３０２は折り曲げミラー、３０３はコリメートレンズ、３０４はアクセス用主軸、３０５はアクセス用副軸、３０６はＤＶＤ用レーザー光源、受光素子および電気変換増幅器を有するＤＶＤ光集積ユニット、３０７はＣＤ用レーザー光源、受光素子および電気変換増幅器を有すＣＤ光集積ユニット、３０８は放熱板、３０９は対物レンズ、３１０はアクチュエータ、３１１はＡＣＴカバー、３１２はトラバースカバー、３１３は立ち上げミラー、３１４は光ディスクである。
【００１５】
本実施形態における光ピックアップ装置の構成をさらに詳細に説明する。光学基台３１０にＤＶＤ光集積ユニット３０６が配され、レーザー光源から出射された光は折り曲げミラー３０２で反射し、コリメートレンズ３０３で平行光となり立上げミラー３１３で光が立ち上り、アクチュエータ３１０に搭載された対物レンズ３０９で光ディスク３１４上に集光される。光ディスク３１４に記録または再生し、反射した光は対物レンズ３０９を経て、立上げミラー３１３、コリメートレンズ３０３および折り曲げミラー３０２を経たのち、ＤＶＤ光集積ユニット３０６の受光素子にて電気信号に変換され、さらに電気変換増幅器で増幅され本体の回路へと送られる。
【００１６】
一方、ＤＶＤ光集積ユニット３０６から発生した熱は、背面に設置の放熱板３０８に伝熱され、放熱板３０８より周囲雰囲気へ放熱される。この時、光学基台３０１の外形形状に関わらず、折り曲げミラーの配置角度をＤＶＤ光集積ユニット３０６および放熱板３０８がトラバースカバー３１２の開口部に配置できるように設定することにより、光学基台３０１がいかなる形状においても、光ディスク３１４の回転により発生した風により放熱板３０８が冷却され、ＤＶＤ光集積ユニット３０６も冷却される。
【００１７】
本実施形態は、このように部品点数を増やすことなくレーザー光源、受光素子および電気変換増幅器からの熱を、折り曲げミラー３０２を用いて光ディスク３１４の回転により発生した風を利用し冷却することが可能な構成に工夫することで、温度変化に対し安定した高速での光ディスク３１４の記録または再生性能を実現できる。
【００１８】
（実施の形態２）
図２は本発明の光ピックアップ装置における他の実施形態の構成を示し、（ａ）は平面図、（ｂ）は側面図である。同図において、４０６は複数の波長の光源を有し、受光素子および電気変換増幅器を有する複数波長一体化光集積ユニットである。光学基台４０１に配された複数波長一体化光集積ユニット４０６のレーザー光源から出射された光は折り曲げミラー４０２によって光路の向きを変え、コリメートレンズ４０３で平行光となり立ち上げミラー４１１で光が立ち上り、アクチュエータ４０９に搭載された対物レンズ４０８で光ディスク４１３上に集光される。光ディスク４１４から反射した光は対物レンズ４０８を経て、立上げミラー４１２、コリメートレンズ４０３および折り曲げミラー４０２を経たのち、複数波長一体化光集積ユニット４０６の受光素子にて電気信号に変換され、さらに電気変換増幅器で増幅され本体の回路へと送られる。
【００１９】
複数波長一体化光集積ユニット４０６から発生した熱は、背面に設置の放熱板４０７に伝熱され、放熱板４０７より周囲雰囲気へ放熱される。さらに、複数波長一体化光集積ユニット４０６および放熱板４０７がトラバースカバー４１１の開口部に配置されていることにより、光ディスク４１４の回転により発生した風により放熱板４０７が冷却され、複数波長一体化光集積ユニット４０６も冷却される。複数波長一体化光集積ユニット４０６は全ての波長のレーザー光源を有しているため、用いる波長の光によらず常に等しく冷却される。
【００２０】
本実施形態は、複数存在する熱源となるレーザー光源、受光素子および電気変換増幅器を一箇所に集中させた上で、折り曲げミラーを用いて光ディスクの回転により発生した風を利用し冷却することが可能な構成に工夫することで、用いる全てのレーザー光源において、温度変化に対し安定しかつ高速での光ディスクの記録または再生性能を実現できる。  
【００２１】
なお、本実施形態では、光ディスク４１４が１２００ｒｐｍ回転時で複数波長一体化光集積ユニット４０６の温度を、従来例と比較して約８℃改善することが可能である。
【産業上の利用可能性】
【００２２】
本発明にかかる光ピックアップ装置は、温度変化に対して安定した高速記録または再生動作が可能となる光ディスクに光スポットを投射して記録または再生を行う光ピックアップ装置として有用である。
【図面の簡単な説明】
【００２３】
【図１】（ａ）は本発明の光ピックアップ装置における一実施形態の平面図、（ｂ）は同実施形態の側面図
【図２】（ａ）は本発明の光ピックアップ装置における他の実施形態の平面図、（ｂ）は同実施形態の側面図
【図３】従来の光ピックアップ装置における一例の構成を示す平面図
【図４】従来の光ピックアップ装置における他の例の構成を示す平面図
【符号の説明】
【００２４】
３０１  光学基台
３０２  折り曲げミラー
３０３  コリメートレンズ
３０４  アクセス用主軸
３０５  アクセス用副軸
３０６  ＤＶＤ光集積ユニット
３０７  ＣＤ光集積ユニット
３０８  放熱板
３０９  対物レンズ
３１０  アクチュエータ
３１１  ＡＣＴカバー
３１２  トラバースカバー
３１３  立ち上げミラー
３１４  光ディスク
【図１】
2007280440.tif 000003
【図２】
2007280440.tif 000004
【図３】
2007280440.tif 000005
【図４】
2007280440.tif 000006